(57)【要約】【課題】複数の加熱位置において、より大きな鍋を高火力で加熱することが可能な誘導加熱調理器を得る。【解決手段】複数の加熱コイル５０〜５２と、インバーター回路２３〜２５と、操作入力部４と、表示部５と、それらと接続されている制御部５９を有する誘導加熱調理器において、制御部５９が、加熱コイル５０〜５２を個別に加熱出力するか、加熱コイル５０と加熱コイル５２を一体として加熱出力するか、加熱コイル５２と加熱コイル５１を一体として加熱出力するか、切り替え制御することができる。【選択図】図２
2011009100.tif 000002
【特許請求の範囲】
【請求項１】
複数の加熱コイルと、
前記加熱コイルにそれぞれ高周波電流を供給するインバーター回路と、
前記加熱コイルの各加熱出力を設定する操作入力部と、
前記加熱コイルの各加熱出力状態を表示する表示部と、
前記操作入力部からの操作入力を受けて前記インバーター回路を制御する制御部と、
を備え、
前記制御部が、２個以上の前記加熱コイルを一体として加熱出力する加熱出力一体モードを有する
ことを特徴とする誘導加熱調理器。
【請求項２】
前記加熱コイルが３個以上から形成され、
前記制御部が、
２個の前記加熱コイルを一体として加熱出力する加熱出力一体モードを複数有し、
前記加熱出力一体モードを切り替え可能にした
ことを特徴とする請求項１に記載の誘導加熱調理器。
【請求項３】
前記加熱出力一体モードで一体化された前記加熱コイルのうち、少なくとも一つの加熱コイルは楕円形状に巻回したものであることを特徴とする請求項１又は２に記載の誘導加熱調理器。
【請求項４】
前記表示部が、
前記加熱出力一体モードで制御するときの前記加熱コイルの加熱出力状態と、
前記加熱コイルを個別に制御するときの加熱出力状態とで表示様態を変える
ことを特徴とする請求項１〜３のいずれか一項に記載の誘導加熱調理器。
【請求項５】
前記制御部が、
前記加熱出力一体モードで加熱出力するとき、該当する加熱コイルの加熱密度の差を抑制する
ことを特徴とする請求項１〜４のいずれか一項に記載の誘導加熱調理器。
【発明の詳細な説明】
【技術分野】
【０００１】
この発明は、複数の加熱コイルを有する誘導加熱調理器に関する。
【背景技術】
【０００２】
従来の誘導加熱調理器は、「複数の加熱コイル２，３のうち少なくとも１個の加熱コイルを他の加熱コイルの径と異なる径にすると共に、天板８に加熱コイル２，３の径にそれぞれ対応した大きさの鍋位置表示部を設け」、小さい鍋を使用する場合でも効率よく加熱することができ、通常の大きさの鍋も使用することができるものがあった（例えば、特許文献１参照）。
【先行技術文献】
【特許文献】
【０００３】
【特許文献１】特開２００４−１８６００２号公報（第１頁、図１）
【発明の概要】
【発明が解決しようとする課題】
【０００４】
しかしながら、備えている加熱コイルの径より大きい径の鍋やフライパンを使用する場合には、加熱する火力が十分でなかったり、加熱コイルからの磁力線が鍋底の一部分にしか鎖交しないので大きな加熱むらが生じたりする問題点があった。また、大きい径の鍋を加熱するときに加熱むらを少なくするには、もともと大きい加熱コイルが配設されている必要があり、大きな径の鍋を使用しない日常では、場所の効率や使い勝手が悪いという問題点があった。
【０００５】
本発明は、上記のような課題を解決するためになされたものであり、備えている加熱コイルの径より大きな径の鍋を加熱するため、加熱コイルより大きい径の加熱口を選択可能とすると共に、加熱時の加熱むらを抑えた誘導加熱調理器を得ることにある。
【課題を解決するための手段】
【０００６】
本発明に係る誘導加熱調理器は、複数の加熱コイルと、前記加熱コイルにそれぞれ高周波電流を供給するインバーター回路と、前記加熱コイルの各加熱出力を設定する操作入力部と、前記加熱コイルの各加熱出力状態を表示する表示部と、前記操作入力部からの操作入力を受けて前記インバーター回路を制御する制御部と、を備え、前記制御部が、２個以上の前記加熱コイルを一体として加熱出力する加熱出力一体モードを有する。
【発明の効果】
【０００７】
本発明において、前記制御部は、前記操作入力部により２つの加熱コイルが一体として加熱出力する加熱出力一体モードが設定されると、選択された２つの加熱コイルに対応するインバーター回路を介して、それらの入力電力の和が設定された火力に対応する電力となるように制御する。複数の加熱コイルを一体として制御することで、本発明の誘導加熱調理器は、備えられた加熱コイルよりも大きい径の鍋を加熱むらを抑えて加熱することができる。
【図面の簡単な説明】
【０００８】
【図１】実施の形態１に係る誘導加熱調理器の外観図である。
【図２】実施の形態１に係る誘導加熱調理器の回路構成図である。
【図３】実施の形態１の左ＩＨ用加熱コイル、中央ＩＨ用加熱コイル、及び右ＩＨ用加熱コイルの形状と配置を示す平面図である。
【図４】実施の形態１の加熱モード別の加熱コイルと被加熱容器の位置関係図である。
【図５】実施の形態１の個別加熱モードにおける操作入力部及び表示部の状態表示図である。
【図６】実施の形態１の左一体加熱モードにおける操作入力部及び表示部の状態表示図である。
【図７】実施の形態１の右一体加熱モードにおける操作入力部及び表示部の状態表示図である。
【図８】実施の形態１の一体加熱スイッチ押下時のフローチャートである。
【図９】実施の形態１の左ＩＨ加熱口の火力設定・加熱制御処理のフローチャートである。
【図１０】実施の形態１の左一体制御処理のフローチャートである。
【図１１】実施の形態１の右ＩＨ加熱口の火力設定・加熱制御処理のフローチャートである。
【図１２】実施の形態１の右一体制御処理のフローチャートである。
【図１３】実施の形態１の中央ＩＨ加熱口の火力設定・加熱制御処理のフローチャートである。
【図１４】図３の左右ＩＨ用加熱コイルを縦長楕円形状にしたときの平面図である。
【図１５】実施の形態２の個別加熱モードにおける操作入力部及び表示部の状態表示図である。
【図１６】実施の形態２の左一体加熱モードにおける操作入力部及び表示部の状態表示図である。
【図１７】実施の形態２の右一体加熱モードにおける操作入力部及び表示部の状態表示図である。
【図１８】実施の形態３に係る誘導加熱調理器の加熱コイルの面積を示す平面図である。
【図１９】実施の形態３の左一体制御処理のフローチャートである。
【図２０】実施の形態３の右一体制御処理のフローチャートである。
【発明を実施するための形態】
【０００９】
実施の形態１．
図１は、実施の形態１に係る誘導加熱調理器の外観図である。
図１において、誘導加熱調理器は、加熱調理器の本体１と、本体１の上面を形成し、調理容器を載置する天板２と、本体１の一側面に加熱口の火力設定等を行う操作入力部４と、本体１の操作入力部４と同じ側面に加熱口の加熱出力状態を示す表示部５とを有する。天板２には、調理容器を載置すべき位置が３箇所あり、操作入力部４及び表示部５の側面を正面とすると、向かって左に円形の左ＩＨ加熱口を示す調理容器載置位置表示３ａと、右に円形の右ＩＨ加熱口を示す調理容器載置位置表示３ｂと、中央に縦長楕円形状の中央ＩＨ加熱口を示す調理容器載置位置表示３ｃとがある（以後、左右及び中央の全てを参照するときは「各調理容器載置位置表示３ａ〜３ｃ」と記す）。各調理容器載置位置表示３ａ〜３ｃの下方に位置する本体１には、それぞれ載置位置表示に類似する形状の加熱コイル（図１に図示せず）が配置され、その加熱コイルに高周波電流を流す高周波電源回路や制御回路（図１に図示せず）も本体１の内部に設けられている。
【００１０】
操作入力部４は、左から左ＩＨ加熱口の操作部４ａと、中央ＩＨ加熱口の操作部４ｃと、右ＩＨ加熱口の操作部４ｂとを備える。操作部４ａは、左ＩＨ加熱口の加熱停止を指示する左ＩＨオフスイッチ４Ｆａと、左ＩＨ加熱口の加熱開始や火力減を指示する左ＩＨ火力減スイッチ４Ｄａと、左ＩＨ加熱口の加熱開始や火力増を指示する左ＩＨ火力増スイッチ４Ｕａとを有する。同様に、操作部４ｃは、左から中央ＩＨオフスイッチ４Ｆｃと、中央ＩＨ火力減スイッチ４Ｄｃと、中央ＩＨ火力増スイッチ４Ｕｃとを有する。操作部４ｂは、左から右ＩＨオフスイッチ４Ｆｂと、右ＩＨ火力減スイッチ４Ｄｂと、右ＩＨ火力増スイッチ４Ｕｂとを有する。また、操作入力部４の操作部４ａと操作部４ｃの間には、左ＩＨ加熱口及び中央ＩＨ加熱口を一体として動作させる左一体加熱モードをオン・オフする左一体加熱スイッチ４ａｃがある。操作部４ｃと操作部４ｂの間には、中央ＩＨ加熱口及び右ＩＨ加熱口を一体として動作させる右一体加熱モードをオン・オフする右一体加熱スイッチ４ｃｂがある。
【００１１】
表示部５は、左から左ＩＨ加熱口の火力を示す左ＩＨ火力表示部５ａと、中央ＩＨ加熱口の火力を示す中央ＩＨ火力表示部５ｃと、右ＩＨ加熱口の火力を示す右ＩＨ火力表示部５ｂとを備える。表示部５の左ＩＨ火力表示部５ａと中央ＩＨ火力表示部５ｃの間には、左一体加熱モードであることを表示する左一体表示ランプ５ａｃがある。また、中央ＩＨ火力表示部５ｃと右ＩＨ火力表示部５ｂの間には、右一体加熱モードであることを表示する右一体表示ランプ５ｃｂがある。
各ＩＨ火力表示部５ａ〜５ｃは、それぞれ複数のＬＥＤ等の発行素子で形成されている。個別に加熱口を制御する個別加熱モードのときには、加熱口毎に各加熱口の設定火力に応じた数の発行素子が、他の表示色を異なる色で点灯表示する。
【００１２】
左一体加熱スイッチ４ａｃが押下され、左一体加熱モードが選択された場合、左一体表示ランプ５ａｃが点灯し、左ＩＨ火力減スイッチ４Ｄａ及び左ＩＨ火力増スイッチ４Ｕａで設定された火力を、左ＩＨ火力表示部５ａと中央ＩＨ火力表示部５ｃの両方を用いて表示する。同様に、右一体加熱スイッチ４ｃｂが押下され、右一体加熱モードが選択された場合、右一体表示ランプ５ｃｂが点灯し、右ＩＨ火力減スイッチ４Ｄｂ及び右ＩＨ火力増スイッチ４Ｕｂで設定された火力を中央ＩＨ火力表示部５ｃと右ＩＨ火力表示部５ｂの両方を用いて表示する。
【００１３】
図２は、実施の形態１に係る誘導加熱調理器の回路構成図である。
図２において、商用交流電源６は、左ＩＨ加熱用の高周波電源回路７及び負荷回路８と、右ＩＨ加熱用の高周波電源回路９及び負荷回路１０と、中央ＩＨ加熱用の高周波電源回路１１及び負荷回路１２と、に接続されている。各高周波電源回路７・９・１１は、商用交流電源６からの交流電流を各負荷回路８・１０・１２に提供される高周波電力に変換している。入力電圧検出手段１３は、各高周波電源回路７・９・１１への入力電圧を検出している。左ＩＨ用入力電流検出手段１４は、左ＩＨ用高周波電源回路７の入力電流を検出し、右ＩＨ用入力電流検出手段１５は、右ＩＨ用高周波電源回路９の入力電流を検出し、中央ＩＨ用入力電流検出手段１６は、中央ＩＨ用高周波電源回路１１の入力電流を検出する。左ＩＨ用出力電流検出手段１７は、左ＩＨ用高周波電源回路７の出力電流を検出し、右ＩＨ用出力電流検出手段１８は、右ＩＨ用高周波電源回路９の出力電流を検出し、中央ＩＨ用出力電流検出手段１９は、中央ＩＨ用高周波電源回路１１の出力電流を検出する。
【００１４】
各高周波電源回路７・９・１１は、それぞれ商用交流電源６の交流電力を整流して平滑する直流電源回路２０・２１・２２と、その直流電力を高周波電力に変換するインバーター回路２３・２４・２５と、からなる。各直流電源回路２０・２１・２２は、それぞれ商用交流電源６の交流電力を整流する整流回路２６・２７・２８と、整流回路２６・２７・２８の出力を平滑するチョークコイル２９・３０・３１及び平滑コンデンサー３２・３３・３４と、から構成される。また、各インバーター回路２３・２４・２５は、直流電源回路２０・２１・２２の出力母線間に直列に接続した高電位側スイッチング素子３５・３６・３７と、低電位側スイッチング素子３８・３９・４０と、各スイッチング素子と逆並列に接続したダイオード４１〜４６と、高電位側スイッチング素子３５・３６・３７と、低電位側スイッチング素子３８・３９・４０を交互にオン・オフする駆動回路４７・４８・４９と、から構成される。
【００１５】
各加熱口の負荷回路８・１０・１２は、それぞれ左ＩＨ用加熱コイル５０、右ＩＨ用加熱コイル５１、中央ＩＨ用加熱コイル５２と、その共振コンデンサー５３・５４・５５と、共振コンデンサー５３・５４・５５と並列に接続したクランプダイオード５６・５７・５８と、から構成されている。誘導加熱調理器全体の制御を行う制御部５９は、操作入力部４から設定された火力等に基づき、駆動回路４７・４８・４９を制御して各加熱口の加熱出力を制御するとともに、表示部５に加熱動作状態を表示する。
【００１６】
図３は、実施の形態１の左ＩＨ用加熱コイル、中央ＩＨ用加熱コイル、及び右ＩＨ用加熱コイルの形状と配置を示す平面図である。
図３に示すように、左右に配置する左ＩＨ用加熱コイル５０及び右ＩＨ用加熱コイル５１は、略円形に巻回し、中央に配置する中央ＩＨ用加熱コイル５２は、略縦長楕円形に巻回する。左ＩＨ用加熱コイル５０及び右ＩＨ用加熱コイル５１のコイル導線のピッチＰ０は、中央ＩＨ用加熱コイル５２の短径方向におけるコイル導線のピッチＰ１より広く、長径方向におけるコイル導線のピッチＰ２より狭くする。左ＩＨ用加熱コイル５０及び右ＩＨ用加熱コイル５１のコイル導線密度と、中央ＩＨ用加熱コイル５２のコイル導線密度とに、大きな差が生じないようにする。結果として、左ＩＨ用加熱コイル５０及び右ＩＨ用加熱コイル５１と、中央ＩＨ用加熱コイル５２に同等の高周波電流を流した場合、各加熱口で大差ない加熱密度を得ることができる。各加熱口で略同等の加熱密度が得られれば、左一体加熱モードもしくは右一体加熱モードで加熱した場合においても、加熱むらの発生が抑制できる。
【００１７】
図４は、実施の形態１の加熱モード別の加熱コイルと被加熱容器の位置関係図である。図４（ａ）は、個別加熱モードにおいて、左ＩＨ用加熱コイル５０と右ＩＨ用加熱コイル５１上に中径の調理容器６０ａ・６０ｂを、中央ＩＨ用加熱コイル５２上に小径の調理容器６０ｃを配置できることを示している。図４（ｂ）は、左一体加熱モードにおいて、左ＩＨ用加熱コイル５０及び中央ＩＨ用加熱コイル５２上に大径の調理容器６０ｄを、右ＩＨ用加熱コイル５１上に中径の調理容器６０ｂを配置できることを示してる。図４（ｃ）は、右一体加熱モードにおいて、中央ＩＨ用加熱コイル５２及び右ＩＨ用加熱コイル５１上に大径の調理容器６０ｄを、左ＩＨ用加熱コイル５０上に中径の調理容器６０ａを配置できることを示してる。調理容器６０ｄは、左ＩＨ用加熱コイル５０もしくは右ＩＨ用加熱コイル５１の径よりも大きな径を有する器である。
【００１８】
図４（ｂ）及び（ｃ）が示すように、左一体加熱モード又は右一体加熱モードにおいて、左ＩＨ用加熱コイル５０及び中央ＩＨ用加熱コイル５２の組み合わせ、又は中央ＩＨ用加熱コイル５２及び右ＩＨ用加熱コイル５１の組み合わせにより、底面積の広い調理容器にでも誘導渦電流を生じさせ、容器を加熱することができる。
【００１９】
図５〜図７は、実施の形態１の操作入力部及び表示部の正面図である。図５は、個別加熱モードで動作中の操作入力部及び表示部の表示例、図６は、左一体加熱モードで動作中の操作入力部及び表示部の表示例、図７は、右一体加熱モードで動作中の操作入力部及び表示部の表示例を示している。各ＩＨ火力表示部５ａ〜５ｃは、２色ＬＥＤ（例えば赤と青）が複数個（例えば、左ＩＨ火力表示部５ａであれば６個）有し、加熱可能な停止状態では全てが青色に点灯し、個別加熱モードにおける加熱状態では火力レベルに応じた数のＬＥＤを赤色で点灯表示する。左一体加熱モードにおける加熱状態では、左ＩＨ火力表示部５ａ及び中央ＩＨ火力表示部５ｃの両方をひとつの表示部とみなし、その火力レベルに応じた数のＬＥＤを紫色（赤色と青色を同時点灯する）で点灯表示する。右一体加熱モードにおいても同様に、中央ＩＨ火力表示部５ｃ及び右ＩＨ火力表示部５ｂの両方をひとつの表示部とみなし、その火力レベルに応じた数のＬＥＤを紫色で点灯表示する。
【００２０】
本実施の形態では、表示部を３状態表示できるＬＥＤを用いたが、加熱モードの差による点灯表示の違いをなくした２状態でも良い。また、今回はＬＥＤを利用したが、表示部はＬＥＤに限るものではない。液晶パネルを用いて、加熱モードと火力レベルに応じた加熱出力状態が、色、長さ或いは面積を使って表示されればよい。
【００２１】
図５に示すように、個別加熱モードでは、左一体表示ランプ５ａｃ及び右一体表示ランプ５ｃｂは、消灯している。図５（ａ）において、各ＩＨ火力表示部５ａ〜５ｃのＬＥＤは、全て青色に点灯していることから、全ての加熱口が加熱可能な停止状態であることを示している。図５（ｂ）では、左ＩＨ火力表示部５ａの４つのＬＥＤが、赤色に点灯していることから、左加熱口が火力４であること、また他のＬＥＤは青色であることから、他の加熱口が停止状態であることを示している。図５（ｃ）では、各ＩＨ火力表示部５ａ〜５ｃがそれぞれ３つ、４つ、及び２つ赤色に点灯していることから、左加熱口が火力３、右加熱口が火力４、中央加熱口が火力２であることを示している。
【００２２】
次に、図６に示すように、左一体加熱モードでは、左一体表示ランプ５ａｃが点灯し、右一体表示ランプ５ｃｂは消灯している。図６（ａ）では図５（ａ）同様、各ＩＨ火力表示部５ａ〜５ｃのＬＥＤは、全て青色に点灯していることから、全ての加熱口が加熱可能な停止状態であることを示している。図６（ｂ）では、左ＩＨ火力表示部５ａの３つのＬＥＤが赤色に点灯し、且つ中央ＩＨ火力表示部５ｃのＬＥＤが１つも赤色に点灯していないことから、左加熱口と中央加熱口の総合した火力が３であること、また右ＩＨ火力表示部５ｂの２つのＬＥＤが赤色に点灯していることから、右加熱口が火力２であることを示している。図６（ｃ）では、左ＩＨ火力表示部５ａの６つのＬＥＤが赤色に点灯し、且つ中央ＩＨ火力表示部５ｃの２つのＬＥＤが赤色に点灯していることから、左加熱口と中央加熱口の総合した火力が８であること、また右ＩＨ火力表示部５ｂの４つのＬＥＤが赤色に点灯していることから、右加熱口が火力４であることを示している。
【００２３】
さらに図７に示すように、右一体加熱モードでは、右一体表示ランプ５ｃｂが点灯し、左一体表示ランプ５ａｃは消灯している。図７（ａ）では、図５（ａ）及び図６（ａ）同様、各ＩＨ火力表示部５ａ〜５ｃのＬＥＤは全て青色に点灯していることから、全ての加熱口が加熱可能な停止状態であることを示している。図７（ｂ）では、左ＩＨ火力表示部５ａのＬＥＤが全て赤色に点灯していないことから、左加熱口が加熱可能な停止状態であること、また中央ＩＨ火力表示部５ｃの２つのＬＥＤが赤色に点灯し、且つ右ＩＨ火力表示部５ｂのＬＥＤが１つも赤色に点灯していないことから、中央加熱口と右加熱口の総合した火力が２であることを示している。図７（ｃ）では、左ＩＨ火力表示部５ａの５つのＬＥＤが赤色に点灯していることから、左加熱口が火力５であること、また中央ＩＨ火力表示部５ｃの５つのＬＥＤが赤色に点灯し、且つ右ＩＨ火力表示部５ｂの２つのＬＥＤが赤色に点灯していることから、中央加熱口と右加熱口の総合した火力が７であることを示している。
【００２４】
個別加熱モードと左一体加熱モード、或いは個別加熱モードと右一体加熱モードとの切り替えは、対応する加熱口の加熱を停止した状態で、左一体加熱スイッチ４ａｃ、或いは右一体加熱スイッチ４ｃｂを操作することによって切り替えられる。即ち、左一体加熱スイッチ４ａｃが操作されると、３つの場合分けによって制御される。１つ目の左ＩＨ用加熱コイル５０又は中央ＩＨ用加熱コイル５２に通電されている場合は、加熱モードは変更されない。２つ目の左ＩＨ用加熱コイル５０及び中央ＩＨ用加熱コイル５２に通電されていない状態、且つ左一体加熱モードである場合は、個別加熱モードに移行して左一体表示ランプ５ａｃを消灯する。３つ目の左ＩＨ用加熱コイル５０及び中央ＩＨ用加熱コイル５２に通電されていない状態、且つ左一体加熱モードでない場合は、左一体加熱モードに移行して左一体表示ランプ５ａｃを点灯する。なお、右加熱一体モードが選択されていた場合であっても左ＩＨ用加熱コイル５０及び中央ＩＨ用加熱コイル５２に通電されていない状態（したがって右ＩＨ用加熱コイルにも高周波電流が流れていない状態）で左一体加熱スイッチ４ａｃが操作された場合には、右一体加熱モードを解除して右一体表示ランプ５ｃｂを消灯し、左一体加熱モードを設定して左一体表示ランプ５ａｃを点灯する。
【００２５】
右一体加熱スイッチ４ｃｂが操作された場合も左一体加熱スイッチ４ａｃが操作された場合と同様、３つの場合分けによって制御される。１つ目の右ＩＨ用加熱コイル５１或いは中央ＩＨ用加熱コイル５２に通電されている場合は、加熱モードを変更しない。２つ目の中央ＩＨ用加熱コイル５２及び右ＩＨ用加熱コイル５１に高周波電流が通電されていない状態、且つ右一体加熱モードである場合は、個別加熱モードに移行して右一体表示ランプ５ｃｂを消灯する。３つ目の中央ＩＨ用加熱コイル５２及び右ＩＨ用加熱コイル５１に高周波電流が通電されていない状態、且つ右一体加熱モードでない場合は、右一体加熱モードに移行して右一体表示ランプ５ｃｂを点灯する。
【００２６】
次に、本実施の形態の動作制御をフローチャートを用いて説明する。
図８は、一体加熱スイッチが押下されたときの動作制御を示し、図９は、左ＩＨ加熱口の火力設定の受け付け及び個別加熱モード時の加熱制御処理を示し、図１０は、左一体加熱モード時における左ＩＨ用インバーター回路と中央ＩＨ用インバーター回路に対する加熱制御処理を示し、図１１は、右ＩＨ加熱口の火力設定の受け付け及び個別加熱モード時の加熱制御処理を示し、図１２は、右一体加熱モード時における右ＩＨ用インバーター回路と中央ＩＨ用インバーター回路に対する加熱制御処理を示し、図１３は、個別加熱モード時の中央ＩＨ用インバーター回路に対する加熱制御処理を示す。
【００２７】
図８において、まず、左一体加熱スイッチの入力の有無を判断し（ステップ１）、入力があった場合には各加熱口を個別に制御する個別加熱モードか、左加熱口と中央加熱口を一体として制御する左一体加熱モードか、右加熱口と中央加熱口を一体として制御する右一体加熱モードかを判断する(ステップ２)。左一体加熱モードであった場合には、左ＩＨ用のインバーター回路が加熱停止中か判断し（ステップ３）、停止中であれば左一体加熱モードを解除して個別加熱モードとし、左一体表示ランプ５ａｃを消灯する(ステップ４)。ステップ２で、右一体加熱モードであった場合には、右ＩＨ用インバーター回路及び左ＩＨ用インバーター回路が停止状態か判定し(ステップ５)、何れも停止中であれば右一体加熱モードを解除して左一体加熱モードとし、右一体表示ランプ５ｃｂを消灯して左一体表示ランプ５ａｃを点灯する(ステップ６)。なお、中央ＩＨ用インバーター回路の動作状態は、右一体加熱モードでは右ＩＨ用インバーター回路が動作状態と同じになる。ステップ２で、個別加熱モードであった場合には、左ＩＨ用インバーター回路及び中央ＩＨ用インバーター回路が停止状態か判定し(ステップ７)、何れも停止中であれば左一体加熱モードとして左一体表示ランプ５ａｃを点灯する（ステップ８）。
【００２８】
次に、右一体加熱スイッチの入力の有無を判断する（ステップ９）。入力があった場合には各加熱口を個別に制御する個別加熱モードか、左加熱口と中央加熱口を一体として制御する左一体加熱モードか、右加熱口と中央加熱口を一体として制御する右一体加熱モードかを判断し(ステップ１０)、右一体加熱モードであった場合には、右ＩＨ用のインバーター回路が加熱停止中か判断し（ステップ１１）、停止中であれば右一体加熱モードを解除して個別加熱モードとし、右一体表示ランプ５ｃｂを消灯する(ステップ１２)。ステップ１０で、左一体加熱モードであった場合には、左ＩＨ用インバーター回路及び右ＩＨ用インバーター回路が停止状態か判定し(ステップ１３)、何れも停止中であれば左一体加熱モードを解除して右一体加熱モードとし、左一体表示ランプ５ａｃを消灯して右一体表示ランプ５ｃｂを点灯する（ステップ１４）。なお、中央ＩＨ用インバーター回路の動作状態は、左一体加熱モードでは左ＩＨ用インバーター回路が動作状態と同じになる。ステップ１０で、個別加熱モードであった場合には、右ＩＨ用インバーター回路及び中央ＩＨ用インバーター回路が停止状態か判定し(ステップ１５)、何れも停止中であれば右一体加熱モードとして右一体表示ランプ５ｃｂを点灯する（ステップ１６）。以上で左一体加熱スイッチ及び右一体加熱スイッチの入力処理を終了し、左ＩＨ加熱口の火力設定・加熱制御処理に移行する。
【００２９】
図９の左ＩＨ加熱口の火力設定・加熱制御処理において、まず左ＩＨ加熱口で加熱中か否か判断し（ステップ１７）、加熱中であれば左ＩＨオフスイッチ４Ｆａの入力の有無を判断し(ステップ１８)、入力がなければ左ＩＨ火力減スイッチ４Ｄａの入力の有無を確認し（ステップ１９）、入力があれば左ＩＨ火力表示部５ａの２色ＬＥＤの赤色表示数（左一体加熱モードの場合は、左ＩＨ火力表示部５ａ及び中央ＩＨ火力表示部５ｃの紫色表示数）を減らし、左ＩＨ加熱口の設定火力を減少させる（ステップ２０）。ステップ１９で左ＩＨ火力減スイッチ４Ｄａの入力がなかった場合には、左ＩＨ火力増スイッチ４Ｕａの入力の有無を確認し（ステップ２１）、入力がなければ左ＩＨ加熱口の設定火力を維持し、入力があれば左ＩＨ火力表示部５ａの２色ＬＥＤの赤色表示数（左一体加熱モードの場合は、左ＩＨ火力表示部５ａ及び中央ＩＨ火力表示部５ｃの紫色表示数）を増やし、左ＩＨ加熱口の設定火力を増加させる（ステップ２２）。
【００３０】
ステップ１７で加熱中でないと判断した場合には、左ＩＨ火力減スイッチ４Ｄａの入力の有無を判断し（ステップ２３）、入力がなければ左ＩＨ火力増スイッチ４Ｕａの入力の有無を判断する(ステップ２４)。ステップ２３、ステップ２４のいずれにも入力がなかった場合には左ＩＨ加熱制御処理を終了し、いずれかで入力があった場合には、左ＩＨ火力表示部５ａの２色ＬＥＤの所定数を赤色表示（左一体加熱モードの場合は紫色表示）に変え、左ＩＨ加熱口に所定火力を設定する（ステップ２５）。
【００３１】
ステップ２１で左ＩＨ火力増スイッチ４Ｕａの入力がなかった場合や、ステップ２０、ステップ２２、ステップ２５で左ＩＨ加熱口の火力設定がなされた後、左一体加熱モードか判断して(ステップ２６)、左一体加熱モードであれば左一体加熱制御処理（図１０に示す）を行い（ステップ２７）、左一体加熱モードでなければ入力電圧及び左ＩＨ入力電流、左ＩＨ出力電流を検出し（ステップ２８）、左ＩＨ出力電流が過大か判断し（ステップ２９）、過大でなければ左ＩＨの設定火力に対応する電力とステップ２８で検出した入力電圧及び入力電流から算出した入力電力とを比較し（ステップ３０）、入力電力の方が小さい場合には左ＩＨ用の駆動回路４７を制御して加熱出力を増加させる（ステップ３１）。ステップ２８で出力電流が過大であった場合や、ステップ３０で入力電力の方が大きい場合には、左ＩＨ用インバーター回路の駆動回路を制御して加熱出力を減少させる(ステップ３２)。
【００３２】
なお、ステップ１８で左ＩＨオフスイッチ４Ｆａの入力があった場合には、左ＩＨ火力表示部５ａ（左一体加熱モードの場合は左ＩＨ火力表示部５ａ及び中央ＩＨ火力表示部５ｃ）の２色ＬＥＤを全て青色表示に変え、左ＩＨ用インバーター回路の駆動回路（左一体加熱モードの場合は左ＩＨ用インバーター回路の駆動回路及び中央ＩＨ用インバーター回路の駆動回路）を制御して加熱を停止して（ステップ３３）、左ＩＨ加熱口火力設定・加熱制御処理を終了する。
【００３３】
次に、図１０に基づいて、左ＩＨ加熱口と中央ＩＨ加熱口を一つの加熱口として一体で火力を制御する左一体加熱制御処理の動作について説明する。まず、入力電圧検出手段１３、左ＩＨ用の入力電流検出手段１４及び出力電流検出手段１７、中央ＩＨ用の入力電流検出手段１６及び出力電流検出手段１９を用いて左ＩＨ用高周波電源回路７及び中央ＩＨ用高周波電源回路１１の入力電圧及び入出力電流を検出し（ステップ２７−１）、左ＩＨの出力電流と中央ＩＨの出力電流を比較する（ステップ２７−２）。
【００３４】
左ＩＨの出力電流の方が大きい場合には、左ＩＨの出力電流が過電流か判定し（ステップ２７−３）、過電流でなければ設定火力に対応する電力とステップ２７−１で検出した入力電圧及び左ＩＨ・中央ＩＨの入力電流から求まる左ＩＨ用高周波電源回路７及び中央ＩＨ用高周波電源回路１１の入力電力の和と比較し（ステップ２７−４）、入力電力の和の方が小さい場合には駆動回路４９を制御して中央ＩＨ用インバーター回路２５の出力を増加させる（ステップ２７−５）。また、入力電力の和の方が大きい場合や、ステップ２７−３で左ＩＨの出力電流が過電流であった場合には、駆動回路４７を制御して左ＩＨ用インバーター回路２３の出力を抑制する(ステップ２７−６)。
【００３５】
ステップ２７−２で中央ＩＨの出力電流の方が大きい場合には、その中央ＩＨの出力電流が過電流か判定し（ステップ２７−７）、過電流でなければ設定火力に対応する電力とステップ２７−１で検出した入力電圧及び左ＩＨ・中央ＩＨの入力電流から求まる左ＩＨ用高周波電源回路７と中央ＩＨ用高周波電源回路１１の入力電力の和と比較し（ステップ２７−８）、入力電力の和の方が小さい場合には駆動回路４７を制御して左ＩＨ用インバーター回路２３の出力を増加させる（ステップ２７−９）。入力電力の和の方が大きい場合や、ステップ２７−７で中央ＩＨの出力電流が過電流であると判断していた場合には、駆動回路４９を制御して中央ＩＨ用インバーター回路２５の出力を抑制する（ステップ２７−１０）。
【００３６】
図９で示した左ＩＨ加熱口火力設定・加熱制御処理を終了すると、図１１に示す右ＩＨ加熱口火力設定・加熱制御処理を実行する。図１１において、まず右ＩＨ加熱口で加熱中か否か判断し（ステップ３４）、加熱中であれば右ＩＨオフスイッチ４Ｆｂの入力の有無を判断し(ステップ３５)、入力がなければ右ＩＨ火力減スイッチ４Ｄｂの入力の有無を確認し（ステップ３６）、入力があれば右ＩＨ火力表示部５ｂの２色ＬＥＤの赤色表示数（右一体加熱モードの場合は、右ＩＨ火力表示部５ｂ及び中央ＩＨ火力表示部５ｃの紫色表示数）を減らし、右ＩＨ加熱口の設定火力を減少させる（ステップ３７）。ステップ３５で右ＩＨ火力減スイッチ４Ｄｂの入力がなかった場合には右ＩＨ火力増スイッチ４Ｕｂの入力の有無を確認し（ステップ３８）、入力がなければ右ＩＨ加熱口の設定火力を維持し、入力があれば右ＩＨ火力表示部５ｂの２色ＬＥＤの赤色表示数（右一体加熱モードの場合は、右ＩＨ火力表示部５ｂ及び中央ＩＨ火力表示部５ｃの紫色表示数）を増やし、右ＩＨ加熱口の設定火力を増加させる（ステップ３９）。
【００３７】
ステップ３４で加熱中でないと判断した場合には、右ＩＨ火力減スイッチ４Ｄｂの入力の有無を判断し（ステップ４０）、入力がなければ右ＩＨ火力増スイッチ４Ｕｂの入力の有無を判断する(ステップ４１)。ステップ４０、ステップ４１のいずれにも入力がなかった場合には右ＩＨ加熱制御処理を終了し、いずれかで入力があった場合には、個別加熱モードであれば右ＩＨ火力表示部５ｂの２色ＬＥＤの所定数を赤色表示に変え、右一体加熱モードであれば中央ＩＨ火力表示部５ｃのＬＥＤの所定数を紫色表示に変え、右ＩＨ加熱口に所定火力を設定する（ステップ４２）。
【００３８】
ステップ３８で右ＩＨ火力増スイッチ４Ｕｂの入力がなかった場合や、ステップ３７、ステップ３９、ステップ４２で右ＩＨ加熱口の火力設定がなされた後、右一体加熱モードか判断して(ステップ４３)、右一体加熱モードであれば右一体加熱制御処理（図１２に示す）を行い（ステップ４４）、右一体加熱モードでなければ入力電圧及び右ＩＨ入力電流、右ＩＨ出力電流を検出し（ステップ４５）、右ＩＨ出力電流が過大か判断し（ステップ４６）、過大でなければ右ＩＨの設定火力に対応する電力とステップ４５で検出した入力電圧及び入力電流から算出した入力電力とを比較し（ステップ４７）、入力電力の方が小さい場合には右ＩＨ用の駆動回路４８を制御して加熱出力を増加させる（ステップ４８）。ステップ４５で出力電流が過大であった場合や、ステップ４７で入力電力の方が大きい場合には、右ＩＨ用インバーター回路の駆動回路４８を制御して加熱出力を減少させる(ステップ４９)。
【００３９】
ステップ３５で右ＩＨオフスイッチ４Ｆｂの入力があった場合には、右ＩＨ火力表示部５ｂ（右一体加熱モードの場合は右ＩＨ火力表示部５ｂ及び中央ＩＨ火力表示部５ｃ）の２色ＬＥＤを全て青色表示に変え、右ＩＨ用インバーター回路の駆動回路４８（右一体加熱モードの場合は右ＩＨ用インバーター回路の駆動回路４８及び中央ＩＨ用インバーター回路の駆動回路４９）を制御して加熱を停止する（ステップ５０）。以上で右ＩＨ加熱口火力設定・加熱制御処理を終了し、図１３に示す中央ＩＨ加熱口火力設定・加熱制御処理に移行する。
【００４０】
なお、図１２に示す右一体加熱制御処理は図１０に示した左一体加熱制御処理と同様の処理である。
図１２において、入力電圧検出手段１３、右ＩＨ用の入力電流検出手段１５及び出力電流検出手段１８、中央ＩＨ用の入力電流検出手段１６及び出力電流検出手段１９を用いて右ＩＨ用高周波電源回路９及び中央ＩＨ用高周波電源回路１１の入力電圧及び入出力電流を検出し（ステップ４４−１）、右ＩＨの出力電流と中央ＩＨの出力電流を比較する（ステップ４４−２）。右ＩＨの出力電流の方が大きい場合には、右ＩＨの出力電流が過電流か判定し（ステップ４４−３）、過電流でなければ設定火力に対応する電力とステップ４４−１で検出した入力電圧及び右ＩＨ・中央ＩＨの入力電流から求まる右ＩＨ用高周波電源回路９及び中央ＩＨ用高周波電源回路１１の入力電力の和と比較し（ステップ４４−４）、入力電力の和の方が小さい場合には駆動回路４９を制御して中央ＩＨ用インバーター回路２５の出力を増加させる（ステップ４４−５）。また、入力電力の和の方が大きい場合や、ステップ４４−３で右ＩＨの出力電流が過電流であった場合には、駆動回路４８を制御して右ＩＨ用インバーター回路２４の出力を抑制する(ステップ４４−６)。
【００４１】
ステップ４４−２で中央ＩＨの出力電流の方が大きい場合には、その中央ＩＨの出力電流が過電流か判定し（ステップ４４−７）、過電流でなければ設定火力に対応する電力とステップ４４−１で検出した入力電圧及び右ＩＨ・中央ＩＨの入力電流から求まる右ＩＨ用高周波電源回路９と中央ＩＨ用高周波電源回路１１の入力電力の和と比較し（ステップ４４−８）、入力電力の和の方が小さい場合には駆動回路４８を制御して右ＩＨ用インバーター回路２４の出力を増加させる（ステップ４４−９）。入力電力の和の方が大きい場合や、ステップ４４−７で中央ＩＨの出力電流が過電流であると判断していた場合には、駆動回路４９を制御して中央ＩＨ用インバーター回路２５の出力を抑制する（ステップ４４−１０）。
【００４２】
次に図１３に示した中央ＩＨ加熱口火力設定・加熱制御処理について説明する。
図１１に示した右ＩＨ加熱口火力設定・加熱制御処理を終了して図１３の中央ＩＨ加熱口火力設定・加熱制御処理に移行すると、まず個別加熱モードか否か判断し(ステップ５１)、個別加熱モードであれば中央ＩＨ加熱口で加熱中か否か判断し（ステップ５２）、加熱中であれば中央ＩＨオフスイッチ４Ｆｃの入力の有無を判断し(ステップ５３)、入力がなければ中央ＩＨ火力減スイッチ４Ｄｃの入力の有無を確認し（ステップ５４）、入力があれば中央ＩＨ火力表示部５ｃの２色ＬＥＤの赤色表示数を減らし、中央ＩＨ加熱口の設定火力を減少させる（ステップ５５）。ステップ５４で中央ＩＨ火力減スイッチ４Ｄｃの入力がなかった場合には中央ＩＨ火力増スイッチ４Ｕｃの入力の有無を確認し（ステップ５６）、入力がなければ中央ＩＨ加熱口の設定火力を維持し、入力があれば中央ＩＨ火力表示部５ｃの２色ＬＥＤの赤色表示数を増やし、中央ＩＨ加熱口の設定火力を増加させる（ステップ５７）。
【００４３】
ステップ５２で加熱中でないと判断した場合には、中央ＩＨ火力減スイッチ４Ｄｃの入力の有無を判断し（ステップ５８）、入力がなければ中央ＩＨ火力増スイッチ４Ｕｃの入力の有無を判断する(ステップ５９)。ステップ５８、ステップ５９のいずれにも入力がなかった場合には中央ＩＨ加熱口火力設定・加熱制御処理を終了し、いずれかで入力があった場合には、中央ＩＨ火力表示部５ｃの２色ＬＥＤの所定数を赤色表示に変え、中央ＩＨ加熱口に所定火力を設定する（ステップ６０）。
【００４４】
ステップ５６で中央ＩＨ火力増スイッチ４Ｕｃの入力がなかった場合や、ステップ５５、ステップ５７、ステップ６０で中央ＩＨ加熱口の火力設定がなされた後、入力電圧及び中央ＩＨ入力電流、中央ＩＨ出力電流を検出し（ステップ６１）、中央ＩＨ出力電流が過大か判断し（ステップ６２）、過大でなければ中央ＩＨの設定火力に対応する電力とステップ６１で検出した入力電圧及び入力電流から算出した入力電力とを比較し（ステップ６３）、入力電力の方が小さい場合には右ＩＨ用の駆動回路４８を制御して加熱出力を増加させる（ステップ６４）。ステップ６２で出力電流が過大であった場合や、ステップ６３で入力電力の方が大きい場合には、中央ＩＨ用インバーター回路の駆動回路４９を制御して加熱出力を減少させる(ステップ６５)。
【００４５】
ステップ５３で中央ＩＨオフスイッチ４Ｆｃの入力があった場合には、中央ＩＨ火力表示部５ｃの２色ＬＥＤを全て青色表示に変え、中央ＩＨ用インバーター回路の駆動回路４９を制御して加熱を停止する（ステップ６６）。以上で中央ＩＨ加熱口火力設定・加熱制御処理を終了し、図８に示した一体加熱スイッチ受け付け処理に戻る。
【００４６】
以上の図１０の左一体火力制御処理や図１２の右一体火力制御処理を行うことにより、左ＩＨ加熱口と中央ＩＨ加熱口の入力電力の和や、右ＩＨ加熱口と中央ＩＨ加熱口の入力電力の和を設定火力に対応する電力となるように制御するとともに、左ＩＨ用加熱コイル５０と中央ＩＨ用加熱コイル５２に流れる電流の差や、右ＩＨ用加熱コイル５１と中央ＩＨ用加熱コイル５２に流れる電流の差を抑えるように制御することができ、複数のスイッチング素子に流れる電流が偏らないようにして一部のスイッチング素子にストレスが集中するのを回避し、左一体加熱モード時における左ＩＨ用加熱コイル５０による加熱部分と中央ＩＨ用加熱コイル５２による加熱部分との加熱むらを抑え、また、右一体加熱モード時における右ＩＨ用加熱コイル５１による加熱部分と中央ＩＨ用加熱コイル５２による加熱部分との加熱むらを抑えることができる。
【００４７】
本実施の形態に係る誘導加熱調理器は、備えている個々の加熱コイルの径より大きな径の鍋を加熱する場合にも加熱むらを抑制するとともに、大きい径の鍋を使用できる加熱位置を選択可能としたものであり、左一体表示ランプや右一体表示ランプを設けたり、又は、個別加熱モードと一体加熱モードで加熱出力レベルを表示する表示色を変えたりすることにより、各加熱コイルの加熱出力を個別に制御しているか、複数の加熱コイルの加熱出力を一体で制御しているかどうかを明確に把握することができる。また、一体加熱モードでは複数の火力表示を用いてより細かい火力表示を可能とすることができる。なお、本実施の形態では左右の加熱コイルは略円形に巻回した加熱コイルを使用する例を示したが、左右の加熱コイルも縦長楕円形状に巻回した加熱コイルとしてもよい。
図１４は、図３の左右ＩＨ用加熱コイルを縦長楕円形状にしたときの平面図である。
【００４８】
実施の形態２．
図１５〜図１７は、実施の形態２に係る誘導加熱調理器の操作入力部及び表示部の正面図である。実施の形態１では、左ＩＨ加熱口、右ＩＨ加熱口、中央ＩＨ加熱口の火力表示部をそれぞれ個別に備えており、左一体加熱モードでは左ＩＨ加熱口用の火力表示部と中央ＩＨ加熱口用の火力表示部を合わせて火力表示に使用し、右一体加熱モードでは右ＩＨ加熱口用の火力表示部と中央ＩＨ加熱口用の火力表示部を合わせて火力表示に使用した。一方、本実施の形態では火力表示部を構成する連続して配置された複数の２色ＬＥＤ（例えば、赤色・青色）を複数の集合に分割して各加熱口の火力表示に使用する。
【００４９】
図１５は、個別加熱モードで動作中の操作入力部及び表示部の表示例である。表示部５は、左ＩＨ加熱口の加熱出力状態を示すＬＥＤ群５ｆと、右ＩＨ加熱口の加熱出力状態を示すＬＥＤ群５ｇと、中央ＩＨ加熱口の加熱出力状態を示すＬＥＤ群５ｈと、火力表示部のＬＥＤ群を分割し、区別するため、各ＬＥＤ群の間に未使用のＬＥＤ（消灯状態）５ｉ・５ｊと、を設けている。図１５（ａ）は、各加熱口とも加熱動作を停止した状態の表示を示し、図１５（ｂ）は、左ＩＨ加熱口が火力４、右ＩＨ加熱口が火力２、中央ＩＨ加熱口が火力１で加熱動作をしていることを示している。各ＬＥＤ群は、加熱停止状態では火力表示のＬＥＤ群を全て青色に点灯し、加熱状態では火力に応じた個数のＬＥＤを赤色に変えて点灯する。
【００５０】
図１６は、左一体加熱モードで動作中の操作入力部及び表示部の表示例である。表示部５は、左ＩＨ加熱口と中央ＩＨ加熱口の加熱出力を合わせた左一体加熱口の加熱出力状態を示すＬＥＤ群５ｋと、右ＩＨ加熱口の加熱出力状態を示すＬＥＤ群５ｇと、ＬＥＤ群５ｋ及び５ｇを分割し、区別するために、その間に未使用（消灯状態）のＬＥＤ５ｌと、を設けている。図１６（ａ）は、各加熱口とも加熱を停止した状態の表示を示し、図１６（ｂ）は、左一体加熱口が火力５で、右ＩＨ加熱口が火力３の状態の表示を示している。左一体加熱モードにおける左一体加熱口の火力表示は、火力表示部の左側大きい領域を占め、直感的に広い加熱領域を実現した左一体加熱モードであることが把握できる。
【００５１】
図１７は、右一体加熱モードで動作中の操作入力部及び表示部の表示例である。表示部５は、左ＩＨ加熱口の加熱出力状態を示すＬＥＤ群５ｆと、中央ＩＨ加熱口と右ＩＨ加熱口の加熱出力を合わせた右一体加熱口の加熱出力状態を示すＬＥＤ群５ｍと、ＬＥＤ群５ｆ及び５ｍを分割し、区別するために、その間に未使用（消灯状態）のＬＥＤ群５ｎと、を設けている。図１７（ａ）は、各加熱口とも加熱を停止した状態の表示を示し、図１７（ｂ）は、左ＩＨ加熱口が火力１で、右一体加熱口が火力６の状態の表示を示している。右一体加熱モードにおける右一体加熱口の火力表示は、火力表示部の右側大きい領域を占めており、直感的に右側に広い加熱領域を有する右一体加熱モードであることが把握できる。
【００５２】
以上のように、本実施の形態に係る誘導加熱調理器では、個別加熱モード、左一体加熱モード、右一体加熱モード等の加熱領域の位置、大きさに応じて火力表示部のＬＥＤ群を分割して各加熱口の火力表示に使用するようにしたので、その表示態様により各加熱口の加熱領域の位置、大きさを直感的に把握することができる。なお、本実施の形態における図１５〜図１７では、個別加熱モードにおける火力レベル表示と、左一体加熱モード又は右一体加熱モードにおける火力レベル表示を同じ表示色(赤色)で行ったが、左一体加熱モード又は右一体加熱モードでは、その火力レベルの表示色を個別加熱モードの場合と変えて表示（例えば、個別加熱モードでは赤色表示とし、一体加熱モードでは紫色表示（赤色ＬＥＤと青色ＬＥＤの同時点灯）とする）することにより、動作中の加熱モードの把握が容易となる。
【００５３】
実施の形態３．
実施の形態１に係る誘導加熱調理器は、図３に示したように各加熱コイルのコイル導線密度の差を抑え、左一体加熱モードでは左ＩＨ用加熱コイルと中央ＩＨ用加熱コイルを用いて、図１０に示すように左ＩＨ用加熱コイルと中央ＩＨ用加熱コイルに流れる電流の差を抑えて加熱制御を行うことにより左ＩＨ用加熱コイル５０による加熱部分と中央ＩＨ用加熱コイル５２による加熱部分との加熱むらを抑え、同様に、右一体加熱モードでは右ＩＨ用加熱コイルと中央ＩＨ用加熱コイルを用いて、図１２に示すように右ＩＨ用加熱コイルと中央ＩＨ用加熱コイルに流れる電流の差を抑えて加熱制御を行うことにより右ＩＨ用加熱コイル５１による加熱部分と中央ＩＨ用加熱コイル５２による加熱部分との加熱むらを抑えた。
【００５４】
本実施の形態では、一体で加熱を行う各高周波電源回路の電力を各加熱コイルの面積に比例した値とすることで、異なる加熱コイルによる加熱むらを抑制するものである。本実施の形態に係る誘導加熱調理器の回路構成や、加熱モードの切り替え処理、個別加熱モードにおける加熱制御処理は、実施の形態１の図２、図８、図９、図１１、図１３と同様であり、説明を省略する。以下、左一体加熱モードおよび右一体加熱モードにおける加熱制御処理について説明する。
【００５５】
図１８は、実施の形態３に係る誘導加熱調理器の加熱コイルの面積を示す平面図である。図１８において、コイル面積Ｓ１は、左ＩＨ用加熱コイル５０の占有面積、コイル面積Ｓ２は、右ＩＨ用加熱コイル５１の占有面積、コイル面積Ｓ３は、中央ＩＨ用加熱コイル５２の占有面積である。
【００５６】
図１９は、左一体加熱モード時における左ＩＨ用インバーター回路と中央ＩＨ用インバーター回路に対する加熱制御処理を示し、図２０は、右一体加熱モード時における中央ＩＨ用インバーター回路と右ＩＨ用インバーター回路に対する加熱制御処理を示す。図１９において、まず、入力電圧検出手段１３、左ＩＨ用の入力電流検出手段１４及び出力電流検出手段１７、中央ＩＨ用の入力電流検出手段１６及び出力電流検出手段１９を用いて左ＩＨ用高周波電源回路７および中央ＩＨ用高周波電源回路１１の入力電圧および入出力電流を検出し（ステップ１０１）、検出した左ＩＨ用高周波電源回路７の出力電流と中央ＩＨ用高周波電源回路１１の出力電流が過電流でないか判定する(ステップ１０２)。過電流であった場合には、その出力電流を抑制すべく対応する駆動回路４７又は４９を制御して左ＩＨ用インバーター回路２３又は中央ＩＨ用インバーター回路２５の出力を抑制する（ステップ１０３）。ステップ１０２で出力電流が過電流でなかった場合には、設定火力に対応する電力とステップ１０１で検出した入力電圧及び左ＩＨ・中央ＩＨの入力電流から求まる左ＩＨ加熱口の入力電力（Ｗ１）及び中央ＩＨ加熱口の入力電力（Ｗ３）の和と比較する（ステップ１０４）。
【００５７】
入力電力の和の方が大きい場合には左ＩＨの加熱コイル面積Ｓ１に対する左ＩＨ加熱口の入力電力Ｗ１の割合（Ｗ１／Ｓ１：以下、左ＩＨ用加熱コイルの加熱密度と呼ぶ）が中央ＩＨの加熱コイル面積Ｓ３に対する中央ＩＨ加熱口の入力電力Ｗ３の割合（Ｗ３／Ｓ３：以下、中央ＩＨ用加熱コイルの加熱密度と呼ぶ）より大きいか判定し（ステップ１０５）、Ｗ１／Ｓ１がＷ３／Ｓ３より大きい場合には左ＩＨ用加熱コイルの加熱密度の方が高くなるので、駆動回路４７を制御して左ＩＨ用インバーター回路２３の出力を抑制し、入力電力の和を減少させるとともに左ＩＨ用加熱コイルの加熱密度を下げて中央ＩＨ用加熱コイルとの加熱密度の差を縮小させる（ステップ１０６）。ステップ１０５で左ＩＨ用加熱コイルの加熱密度の方が高くない場合には、駆動回路４９を制御して中央ＩＨ用インバーター回路２５の出力を抑制し、入力電力の和を減少させるとともに中央ＩＨ用加熱コイルの加熱密度を低下させる（ステップ１０７）。
【００５８】
ステップ１０４において入力電力の和が設定火力の電力と同等となった場合にも左ＩＨ用加熱コイルの加熱密度Ｗ１／Ｓ１と中央ＩＨ用加熱コイルの加熱密度Ｗ３／Ｓ３を比較する（ステップ１０８）。左ＩＨ用加熱コイルの加熱密度の方が高い場合にはステップ１０６に移行して左ＩＨ用インバーター回路の出力を抑制し、中央ＩＨ用加熱コイルの加熱密度の方が高い場合にはステップ１０７に移行して中央ＩＨ用インバーター回路の出力を抑制して、左ＩＨ用加熱コイルと中央ＩＨ用加熱コイルの加熱密度の差を低減する。
【００５９】
ステップ１０４において入力電力の和が設定火力の電力より小さくなった場合には左ＩＨ用加熱コイルの加熱密度Ｗ１／Ｓ１と中央ＩＨ用加熱コイルの加熱密度Ｗ３／Ｓ３を比較して（ステップ１０９）、左ＩＨ用加熱コイルの加熱密度の方が低い場合には駆動回路４７を制御して左ＩＨ用インバーター回路の出力を増加させ（ステップ１１０）、左ＩＨ用加熱コイルの加熱密度の方が中央ＩＨ用加熱コイルの加熱密度より低くない場合には駆動回路４９を制御して中央ＩＨ用インバーター回路２５の出力を増加させて（ステップ１１１）、入力電力の和を増加させるとともに左ＩＨ用加熱コイルと中央ＩＨ用加熱コイルの加熱密度の差を低減する。
【００６０】
上記の左一体加熱モードの加熱制御処理と同様に、右一体加熱制御処理を実施する。図２０において、まず、入力電圧検出手段１３、右ＩＨ用の入力電流検出手段１５及び出力電流検出手段１８、中央ＩＨ用の入力電流検出手段１６及び出力電流検出手段１９を用いて右ＩＨ用高周波電源回路９及び中央ＩＨ用高周波電源回路１１の入力電圧及び入出力電流を検出し（ステップ２０１）、検出した右ＩＨ用高周波電源回路９の出力電流と中央ＩＨ用高周波電源回路１１の出力電流が過電流でないか判定する(ステップ２０２)。過電流であった場合には、その出力電流を抑制すべく対応する駆動回路４８又は４９を制御して右ＩＨ用インバーター回路２４又は中央ＩＨ用インバーター回路２５の出力を抑制する（ステップ２０３）。ステップ２０２で出力電流が過電流でなかった場合には、設定火力に対応する電力とステップ２０１で検出した入力電圧及び右ＩＨ・中央ＩＨの入力電流から求まる右ＩＨ加熱口の入力電力（Ｗ２）及び中央ＩＨ加熱口の入力電力（Ｗ３）の和と比較する（ステップ２０４）。
【００６１】
入力電力の和の方が大きい場合には右ＩＨの加熱コイル面積Ｓ２に対する右ＩＨ加熱口の入力電力Ｗ２の割合（Ｗ２／Ｓ２：以下、右ＩＨ用加熱コイルの加熱密度と呼ぶ）が中央ＩＨ用加熱コイルの加熱密度（Ｗ３／Ｓ３）より大きいか判定し（ステップ２０５）、Ｗ２／Ｓ２がＷ３／Ｓ３より大きい場合には、右ＩＨ用加熱コイルの加熱密度の方が高くなるので、駆動回路４８を制御して右ＩＨ用インバーター回路２４の出力を抑制し、入力電力の和を減少させるとともに右ＩＨ用加熱コイルの加熱密度を下げて中央ＩＨ用加熱コイルとの加熱密度の差を縮小させる（ステップ２０６）。ステップ２０５で右ＩＨ用加熱コイルの加熱密度の方が高くない場合には、駆動回路４９を制御して中央ＩＨ用インバーター回路２５の出力を抑制し、入力電力の和を減少させるとともに中央ＩＨ用加熱コイルの加熱密度を低下させる（ステップ２０７）。
【００６２】
ステップ２０４において入力電力の和が設定火力の電力と同等となった場合にも右ＩＨ用加熱コイルの加熱密度Ｗ２／Ｓ２と中央ＩＨ用加熱コイルの加熱密度Ｗ３／Ｓ３を比較する（ステップ２０８）。右ＩＨ用加熱コイルの加熱密度の方が高い場合にはステップ２０６に移行して右ＩＨ用インバーター回路の出力を抑制し、中央ＩＨ用加熱コイルの加熱密度の方が高い場合にはステップ２０７に移行して中央ＩＨ用インバーター回路の出力を抑制して、右ＩＨ用加熱コイルと中央ＩＨ用加熱コイルの加熱密度の差を低減する。
【００６３】
ステップ２０４において入力電力の和が設定火力の電力より小さくなった場合には右ＩＨ用加熱コイルの加熱密度Ｗ２／Ｓ２と中央ＩＨ用加熱コイルの加熱密度Ｗ３／Ｓ３を比較して（ステップ２０９）、右ＩＨ用加熱コイルの加熱密度の方が低い場合には駆動回路４８を制御して右ＩＨ用インバーター回路の出力を増加させ（ステップ２１０）、右ＩＨ用加熱コイルの加熱密度の方が中央ＩＨ用加熱コイルの加熱密度より低くない場合には駆動回路４９を制御して中央ＩＨ用インバーター回路２５の出力を増加させて（ステップ２１１）、入力電力の和を増加させるとともに右ＩＨ用加熱コイルと中央ＩＨ用加熱コイルの加熱密度の差を低減する。
【００６４】
以上のように、左一体加熱モード又は右一体加熱モードにより複数の加熱位置から選択して、誘導加熱調理器の備える加熱コイルの径より大きい径の鍋を複数の加熱コイルで加熱することが可能で、その際に、加熱コイルの面積を考慮し、複数の加熱コイルで加熱密度の差を抑制する制御を行い、大きい径の鍋を使用する場合に加熱むらを小さくして調理することができる。
【符号の説明】
【００６５】
１ 本体、２ 天板、３ａ〜ｃ  調理容器載置位置表示、４ 操作入力部、４ａ  左ＩＨ加熱口の操作部、４ｂ  右ＩＨ加熱口の操作部、４ｃ  中央ＩＨ加熱口の操作部、４Ｆａ  左ＩＨオフスイッチ、４Ｆｂ  右ＩＨオフスイッチ、４Ｆｃ  中央ＩＨオフスイッチ、４Ｄａ  左ＩＨ火力減スイッチ、４Ｄｂ  右ＩＨ火力減スイッチ、４Ｄｃ  中央ＩＨ火力減スイッチ、４Ｕａ  左ＩＨ火力増スイッチ、４Ｕｂ  右ＩＨ火力増スイッチ、４Ｕｃ  中央ＩＨ火力増スイッチ、４ａｃ  左一体加熱スイッチ、４ｃｂ  右一体加熱スイッチ、５  表示部、５ａ  左ＩＨ火力表示部、５ｂ  右ＩＨ火力表示部、５ｃ  中央ＩＨ火力表示部、５ａｃ  左一体表示ランプ、５ｃｂ  右一体表示ランプ、５ｆ  ５ｇ  ５ｈ  ５ｋ  ５ｍ  ５ｎ  ＬＥＤ群、６  商用交流電源、７  左ＩＨ用高周波電源回路、８  １０  １２  負荷回路、９  右ＩＨ用高周波電源回路、１１  中央ＩＨ用高周波電源回路、１３  入力電圧検出手段、１４〜１６  入力電流検出手段、１７〜１９  出力電流検出手段、２０〜２２  直流電源回路、２３〜２５  インバーター回路、２６〜２８  整流回路、２９〜３１  チョークコイル、３２〜３４  平滑コンデンサー、３５〜３７  高電位側スイッチング素子、３８〜４０  低電位側スイッチング素子、４１〜４６  ダイオード、４７〜４９  駆動回路、５０  左ＩＨ用加熱コイル、５１  右ＩＨ用加熱コイル、５２  中央ＩＨ用加熱コイル、５３〜５５  共振コンデンサー、５６〜５８  クランプダイオード、５９  制御部、６０ａ〜ｄ  調理容器、Ｐ０〜２  ピッチ、Ｓ１〜３  コイル面積、Ｗ１〜３  入力電力。
【図１】
2011009100.tif 000003
【図２】
2011009100.tif 000004
【図３】
2011009100.tif 000005
【図４】
2011009100.tif 000006
【図５】
2011009100.tif 000007
【図６】
2011009100.tif 000008
【図７】
2011009100.tif 000009
【図８】
2011009100.tif 000010
【図９】
2011009100.tif 000011
【図１０】
2011009100.tif 000012
【図１１】
2011009100.tif 000013
【図１２】
2011009100.tif 000014
【図１３】
2011009100.tif 000015
【図１４】
2011009100.tif 000016
【図１５】
2011009100.tif 000017
【図１６】
2011009100.tif 000018
【図１７】
2011009100.tif 000019
【図１８】
2011009100.tif 000020
【図１９】
2011009100.tif 000021
【図２０】
2011009100.tif 000022